(57)【要約】      （修正有）【課題】伊勢エビの如きエビの形態を有する飾り具本体の細長の触角形態部分が柔軟性を備えることで不用意な曲げ力によって折損するのを未然に防止する鏡餅用飾り具を提供する。【解決手段】エビの触角・複眼形態部分を備えた頭部側の第１パーツ１Ａと、エビの頭胸甲・腹節・尾鰭形態部分を備えた背部側の第２パーツ１Ｂと、エビの胸脚形態部分を備えた腹部側の第３パーツ１Ｃとを凹凸嵌合手段を介して組み立て可能とした飾り具本体１とし、第１パーツ１Ａ自体は、柔軟性を有する合成樹脂素材によって形成する。この飾り具本体１は、飾り鏡餅を包装する包装容器に粘着テープ等によって取り付け可能にする。また、凹凸嵌合手段には、水引もしくはゴム紐を連繋可能にして、これらによっても包装容器に掛止可能とする。こうすることで、包装容器を飾るエビの触角形態部分の折損を防止する。【選択図】図１
0003153382.tif 000002
【実用新案登録請求の範囲】
【請求項１】
エビの触角・複眼形態部分を備えた頭部側の第１パーツと、エビの頭胸甲・腹節・尾鰭形態部分を備えた背部側の第２パーツと、エビの胸脚形態部分を備えた腹部側の第３パーツとによって組み立て可能とした飾り具本体を備え、第１パーツ自体を柔軟性を有する合成樹脂素材によって形成して成ることを特徴とする鏡餅用飾り具。
【請求項２】
各パーツそれぞれには、互いに係合可能とした凹凸嵌合手段を備えた請求項１記載の鏡餅用飾り具。
【請求項３】
凹凸嵌合手段は、水引もしくはゴム紐のいずれかを掛止可能とした請求項２記載の鏡餅用飾り具。
【請求項４】
エビの触角・複眼形態部分を備えた頭部側の第１パーツと、エビの頭胸甲・腹節・尾鰭形態部分を備えた背部側の第２パーツと、エビの胸脚形態部分を備えた腹部側の第３パーツとを凹凸嵌合手段を介して組み立て可能とした飾り具本体を備え、第１パーツの触角形態部分を柔軟性を有する合成樹脂素材によって形成すると共に、前記凹凸嵌合手段は、水引もしくはゴム紐のいずれかを掛止可能としたことを特徴とする鏡餅用飾り具。
【考案の詳細な説明】
【技術分野】
【０００１】
本考案は、正月用の飾りとして神仏、床の間等に置かれる二段重ねの飾り鏡餅、あるいは当該飾り鏡餅が長期保存に耐え得るように包装されている包装容器に取り付けられる伊勢エビの形態を呈するを鏡餅用飾り具に関する。
【背景技術】
【０００２】
従来、外周面が二段重ねの飾り鏡餅形状を呈し且つ下方の開口部から餅が充填収納される中空の包装容器の外面には、伊勢エビの如きエビの形態に成形された例えばプラスチック製等の硬質な部材による飾り具が、例えば両面粘着テープ等によって取り付けられる。すなわち、飾り具は、エビの触角・複眼形態部分を備えた頭部側と、エビの頭胸甲・腹節・尾鰭形態部分を備えた背部側と、エビの胸脚形態部分を備えた腹部側とが例えばプラスチック材のインジェクション成形等によって一体形成されている。
【先行技術文献】
【特許文献】
【０００３】
【特許文献１】特になし
【考案の概要】
【考案が解決しようとする課題】
【０００４】
しかしながら、従来においては、飾り具の頭部側における細長の触角形態部分はプラスチック製等の硬質な部材によって形成されているため、非常に硬くて脆いので折れ易いという問題点があり、折損してしまうと非常に体裁が悪く、また縁起物としての価値も減殺されるものであった。
【０００５】
そこで、本考案は叙上のような従来存した諸事情に鑑み創案されたもので、エビの形態を有する飾り具本体の細長の触角形態部分を有する頭部側が柔軟性を備えることで、当該頭部側の触角形態部分が不用意な外力、曲げ力等によって折損するのを未然に防止できるようにした鏡餅用飾り具を提供することを目的とする。
【課題を解決するための手段】
【０００６】
上述した課題を解決するために、本考案にあっては、エビの触角・複眼形態部分を備えた頭部側の第１パーツ１Ａと、エビの頭胸甲・腹節・尾鰭形態部分を備えた背部側の第２パーツ１Ｂと、エビの胸脚形態部分を備えた腹部側の第３パーツ１Ｃとによって組み立て可能とした飾り具本体１を備え、第１パーツ１Ａ自体を柔軟性を有する合成樹脂素材によって形成して成るものである。
また、各パーツ１Ａ，１Ｂ，１Ｃそれぞれには、互いに係合可能とした凹凸嵌合手段Ｐを備えた構成とすることができる。
さらに、凹凸嵌合手段Ｐは、水引１１もしくはゴム紐１２のいずれかを掛止可能に構成することができる。
【０００７】
以上のように構成された本考案に係る鏡餅用飾り具にあって、柔軟性を有する合成樹脂素材によって形成されて成る第１パーツ１Ａは、不用意な外力、曲げ力等があってもこれに追随し、これらによる触角形態部分の折損を防止させる。
各パーツ１Ａ，１Ｂ，１Ｃの凹凸嵌合手段Ｐは、これらが互いに係合されることで、エビの形態を有する飾り具本体１を形成させる。
凹凸嵌合手段Ｐは、水引１１もしくはゴム紐１２の一部分を引っ掛け、当該水引１１もしくはゴム紐１２を飾り具本体１から外方に突出配置させる。
【考案の効果】
【０００８】
本考案によれば、エビの形態を有する飾り具本体１の細長の触角形態部分を有する頭部側の第１パーツ１Ａが柔軟性を備えることで、外力等が付加されると、それに追随して撓曲し、当該頭部側の触角形態部分が不用意な外力、曲げ力によって折損するのを未然に防止できる。
【０００９】
すなわち、これは本考案が、エビの触角・複眼形態部分を備えた頭部側の第１パーツ１Ａと、エビの頭胸甲・腹節・尾鰭形態部分を備えた背部側の第２パーツ１Ｂと、エビの胸脚形態部分を備えた腹部側の第３パーツ１Ｃとによって組み立て可能とした飾り具本体１を備え、第１パーツ１Ａ自体を柔軟性を有する合成樹脂素材によって形成して成るからである。
【００１０】
また、各パーツ１Ａ，１Ｂ，１Ｃそれぞれには、互いに係合可能とした凹凸嵌合手段Ｐを備えたので、これらが互いに係合されることで、伊勢エビの如きエビの形態を有する飾り具本体１を容易に組み立てることができ、しかも分解も簡単に行える。
【００１１】
さらに、凹凸嵌合手段Ｐは、水引１１もしくはゴム紐１２のいずれかを掛止可能としたので、当該水引１１もしくはゴム紐１２を飾り具本体１から外方に張出配置させることができる。そのため、上下二段の重ね鏡餅の括れ部Ｑ１、または外周面が二段重ねの飾り鏡餅形状を呈し且つ下方の開口部から餅が充填収納される中空の包装容器Ｑの括れ部Ｑ１に、飾り具本体１から外方に張出した水引１１もしくはゴム紐１２を巻掛させることで、重ね鏡餅または包装容器Ｑに飾り具本体１を容易に取り付けることができる。
【００１２】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１３】
【図１】本考案を実施するための一形態を示す分解斜視図である。
【図２】同じく組立状態の斜視図である。
【図３】同じく分解縦断面図である。
【図４】同じく組立状態の縦断面図である。
【図５】同じく包装容器への取り付けの一例を示す斜視図である。
【図６】他の取り付け形態における分解断面図である。
【図７】同じく包装容器への取り付けの一例を示す斜視図である。
【図８】同じく包装容器への取り付けの他例を示す斜視図である。
【考案を実施するための形態】
【００１４】
以下、図面を参照して本考案の実施の形態を詳細に説明すると、図において示される符号１は、飾り鏡餅が長期保存に耐え得るように包装されている包装容器Ｑに取り付けられる本考案に係る鏡餅用飾り具を構成する飾り具本体である。該飾り具本体１は、図１乃至図４に示すように、伊勢エビの如きエビの触角・複眼形態部分を備えた頭部側の第１パーツ１Ａと、頭胸甲・腹節・尾鰭形態部分を備えた背部側の第２パーツ１Ｂと、胸脚形態部分を備えた腹部側の第３パーツ１Ｃとによって３分割された構成となっている。尚、飾り具本体１は包装容器Ｑに取り付けられる他に、二段重ねの飾り鏡餅自体に直接取り付けられるようにしても良い。尚、飾り具本体１は、包装容器Ｑの大きさ等に対応して、例えば大中小の大小が異なるものとして幾種類か用意される。
【００１５】
すなわち、第１パーツ１Ａは、略矩形突起状の基部２の先端側にエビの触角・複眼形態部分を備えており、当該基部２には、凹凸嵌合手段Ｐとして、背部側中央に嵌合凸部３を有し、下面端部側には被嵌合凹部４を備えている。そして、第１パーツ１Ａ自体は、柔軟性を有する合成樹脂素材である例えばシリコンラバー・スポンジゴム等、その他の柔軟性素材によって形成してある。
【００１６】
第２パーツ１Ｂは、下側が開口された倒立Ｕ字状の断面を有し、上面にはエビの頭胸甲・腹節・尾鰭形態部分を備えている。また、第２パーツ１Ｂの上部内壁面には前後で一対の円柱状の差し込み突起５を備え、前方側には、第１パーツ１Ａの基部２を挿着させるためのコ字枠開口状の挿入開口部７を備えている。さらに、挿入開口部７のコ字枠内壁面には、凹凸嵌合手段Ｐとして、第１パーツ１Ａの基部２における嵌合凸部３を係合させるための被嵌合凹部８を備えている。
【００１７】
第３パーツ１Ｃは、第２パーツ１Ｂの下側開口を塞ぐ程度の面積を有する平板状に形成され、平板前部側における左右対称位置にはエビの胸脚形態部分を備えている。そして、平板上面には前後で一対の筒状に形成された差し込み穴部６が形成され、第２パーツ１Ｂの上部内壁面における前後で一対の差し込み突起５それぞれを差し込み穴部６に差し込むことで第２パーツ１Ｂに第３パーツ１Ｃが取り付けられるようにしてある。また、第３パーツ１Ｃの前方部上面には、凹凸嵌合手段Ｐとして、第１パーツ１Ａの基部２における被嵌合凹部４に係合させるための嵌合凸部９を備えている。
【００１８】
各パーツ１Ａ，１Ｂ，１Ｃの組み合わせによって組み立て形成された飾り具本体１は、図５に示すように、例えば粘着テープ１０等によって、飾り鏡餅が長期保存に耐え得るように包装されている包装容器Ｑに取り付けられるようにしてある。尚、粘着テープ１０の替わりに、接着剤等で包装容器Ｑに取り付けても良い。
【００１９】
尚、包装容器Ｑは、その外周面が外側に湾曲突出した湾曲突出部が括れ部Ｑ１を介して上下方向に連設形成された外形状を有する重ね鏡餅に模した中空の容器となって形成されている。また、包装容器Ｑの下方は開口部Ｒによって開放されており、当該開口部Ｒから包装容器Ｑ内に餅が充填され、上下二段の重ね鏡餅形状となって固化された状態で餅が収納されるものとしてある。そして、包装容器Ｑの開口部Ｒには環状縁部Ｓが水平に延設されており、開口部Ｒから包装容器Ｑ内への餅の充填後において、例えば透明なビニール樹脂製等の円形状のシール部材（図示せず）の周辺部を環状縁部Ｓに貼り付けることで当該開口部Ｒが封止されるものとしてある。
【００２０】
次に、以上のように構成された形態についての組立、使用の一例について説明すると、図２および図３に示すように、先ず、第１パーツ１Ａの基部２を第２パーツ１Ｂの挿入開口部７に挿入し、第１パーツ１Ａの基部２における嵌合凸部３を第２パーツ１Ｂの被嵌合凹部８に係合させておく。
【００２１】
そして、第２パーツ１Ｂの下側開口を塞ぐように第３パーツ１Ｃを取り付ける。このとき、第２パーツ１Ｂの上部内壁面における各差し込み突起５それぞれが第３パーツ１Ｃの差し込み穴部６に差し込まれ、これと同時に第１パーツ１Ａの基部２における被嵌合凹部４に第３パーツ１Ｃの嵌合凸部９が係合される。尚、必要に応じて第３パーツ１Ｃの差し込み穴部６内には接着剤が充填される。
【００２２】
而して、各パーツ１Ａ，１Ｂ，１Ｃの組み合わせによって、伊勢エビの如きエビの形態を有する飾り具本体１が組み立て形成されるのであり、該飾り具本体１の例えば第３パーツ１Ｃ下面を、例えば両面粘着テープ１０等によって包装容器Ｑ外面に取り付けられる（図５参照）。
【００２３】
また、図６乃至図８には、包装容器Ｑへの取り付けの他例が示されている。すなわち、図６に示すように、凹凸嵌合手段Ｐを構成する第３パーツ１Ｃの嵌合凸部９に、水引１１もしくはゴム紐１２等の紐状部材のいずれかを引っ掛けてから、当該嵌合凸部９を第１パーツ１Ａの基部２における被嵌合凹部４に係合されるようにしてある。このとき、水引１１は、金銀の線材を中央のカナメ部１１ａを介して左右一対となって形成され、当該カナメ部１１ａに第３パーツ１Ｃの嵌合凸部９を通すための通し孔１１ｂが形成されている（図６参照）。
【００２４】
これによって、水引１１もしくはゴム紐１２は引っ掛け部分を除いて第１パーツ１Ａの前方側に向けて突出配置される。そして水引１１の場合は、図７に示すように、包装容器Ｑの括れ部Ｑ１に巻掛されて当該水引１１の端部同士を縛結することで飾り具本体１は包装容器Ｑに取り付けられる。一方、ゴム紐１２の場合は、図８に示すように、包装容器Ｑの１段目上側からゴム紐１２を潜らせて括れ部Ｑ１に引っ掛けることで飾り具本体１は包装容器Ｑに取り付けられる。こうして、伊勢エビの如きエビの形態を備えた飾り具本体１の細長の触角形態部分を有する第１パーツ１Ａ自体が柔軟性を備えているから、当該触角形態部分に不用意な外力、曲げ力等が作用しても折損が防止される。
【符号の説明】
【００２５】
Ｐ…凹凸嵌合手段                        Ｑ…包装容器
Ｑ１…括れ部                            Ｒ…開口部
Ｓ…環状縁部
１…飾り具本体                          １Ａ…第１パーツ
１Ｂ…第２パーツ                        １Ｃ…第３パーツ
２…基部                                ３…嵌合凸部
４…被嵌合凹部                          ５…差し込み突起
６…差し込み穴部                        ７…挿入開口部
８…被嵌合凹部                          ９…嵌合凸部
１０…両面粘着テープ                    １１…水引
１１ａ…カナメ部                        １１ｂ…通し孔
１２…ゴム紐
【図１】
0003153382.tif 000003
【図２】
0003153382.tif 000004
【図３】
0003153382.tif 000005
【図４】
0003153382.tif 000006
【図５】
0003153382.tif 000007
【図６】
0003153382.tif 000008
【図７】
0003153382.tif 000009
【図８】
0003153382.tif 000010